【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
各々に、複数の図柄が表示された複数のメインリールを備えた第１表示手段と、
前記複数のメインリールの各々に対応して設けられ、各々が複数の図柄を可変表示可能な複数の表示列を備えた第２表示手段と、
プレイヤーの開始操作に応じて開始指示信号を出力する開始操作部と、
前記複数のメインリールの各々に対応して設けられ、各々がプレイヤーの停止操作に応じて停止指示信号を出力する複数の停止操作部と、
前記開始指示信号を検知して前記複数のメインリールの全てについて回転を開始させるように前記第１表示手段を制御し、前記複数の停止指示信号のいずれかを検知して前記メインリールの回転を停止させるように前記第１表示手段を制御する第１制御手段と、
前記複数のメインリールの少なくとも一つが回転中に、回転中のメインリールに対応する前記表示列を当該回転中のメインリールと同じ速度で回転させるように前記第２表示手段を制御する第１処理と、回転中の前記メインリールに対応する前記表示列を当該回転中のメインリールと異なる速度で回転させるように前記第２表示手段を制御する第２処理とを選択的に実行する第２制御手段とを備え、
前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、
前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する、
ことを特徴とするスロットマシン。
【請求項２】
各々に、複数の図柄が表示された複数のメインリールを備えた第１表示手段と、
前記複数のメインリールの各々に対応して設けられ、各々が複数の図柄を可変表示可能な複数の表示列を備えた第２表示手段と、
プレイヤーの開始操作に応じて開始指示信号を出力する開始操作部と、
前記複数のメインリールの各々に対応して設けられ、各々がプレイヤーの停止操作に応じて停止指示信号を出力する複数の停止操作部と、
前記開始指示信号を検知して前記複数のメインリールの全てについて回転を開始させるように前記第１表示手段を制御し、前記複数の停止指示信号のいずれかを検知して前記メインリールの回転を停止させるように前記第１表示手段を制御する第１制御手段と、
前記複数のメインリールの少なくとも一つが回転中に、回転中のメインリールに対応する前記表示列を当該回転中のメインリールと同じ速度で回転させるように前記第２表示手段を制御する第１処理と、前記表示列の回転が一定速度とならないように前記第２表示手段を制御する第２処理とを選択的に実行する第２制御手段とを備え、
前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、
前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する、
ことを特徴とするスロットマシン。
【請求項３】
各々に、複数の図柄が表示された複数のメインリールを備えた第１表示手段と、
前記複数のメインリールの各々に対応して設けられ、各々が複数の図柄を可変表示可能な複数の表示列を備えた第２表示手段と、
プレイヤーの開始操作に応じて開始指示信号を出力する開始操作部と、
前記複数のメインリールの各々に対応して設けられ、各々がプレイヤーの停止操作に応じて停止指示信号を出力する複数の停止操作部と、
前記開始指示信号を検知して前記複数のメインリールの全てについて回転を開始させるように前記第１表示手段を制御し、前記複数の停止指示信号のいずれかを検知して前記メインリールの回転を停止させるように前記第１表示手段を制御する第１制御手段と、
前記複数のメインリールの少なくとも一つが回転中に、回転中のメインリールに対応する前記表示列を当該回転中のメインリールと同じ加速期間で加速回転させるように前記第２表示手段を制御する第１処理と、当該回転中のメインリールと異なる加速期間で当該表示列を加速回転させるように前記第２表示手段を制御する第２処理とを選択的に実行する第２制御手段とを備え、
前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、
前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する、
ことを特徴とするスロットマシン。
【請求項４】
各々に、複数の図柄が表示された複数のメインリールを備えた第１表示手段と、
前記複数のメインリールの各々に対応して設けられ、各々が複数の図柄を可変表示可能な複数の表示列を備えた第２表示手段と、
プレイヤーの開始操作に応じて開始指示信号を出力する開始操作部と、
前記複数のメインリールの各々に対応して設けられ、各々がプレイヤーの停止操作に応じて停止指示信号を出力する複数の停止操作部と、
前記開始指示信号を検知して前記複数のメインリールの全てについて回転を開始させるように前記第１表示手段を制御し、前記複数の停止指示信号のいずれかを検知して前記メインリールの回転を停止させるように前記第１表示手段を制御する第１制御手段と、
前記複数のメインリールの少なくとも一つが回転中に、回転中のメインリールに対応する前記表示列を当該回転中のメインリールの回転方向と同じ方向に可変表示させるように前記第２表示手段を制御する第１処理と、当該回転中のメインリールの回転方向と逆の方向に当該表示列を可変表示させるように前記第２表示手段を制御する第２処理とを選択的に実行する第２制御手段とを備え、
前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、
前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する、
ことを特徴とするスロットマシン。
【請求項５】
前記第２表示手段は、複数種類の図柄の画像を可変表示可能な画像表示装置で構成され、
前記表示列は前記画像表示装置に画像として表示され、
前記第２制御手段は、
前記図柄の画像を示す図柄画像データを記憶する画像記憶手段と、
前記画像表示装置に表示する画像を示す表示画像データを記憶する表示用記憶手段と、
前記表示用記憶手段から前記表示画像データを読み出して前記画像表示装置へ供給する供給手段と、
前記画像記憶手段から前記図柄画像データを読み出して前記表示用記憶手段へ書き込むことによって前記表示用記憶手段の記憶内容を更新する更新手段と、を備える
ことを特徴とする請求項１乃至４のうちいずれか１項に記載のスロットマシン。
【手続補正２】
【補正対象書類名】明細書
【補正対象項目名】００１２
【補正方法】変更
【補正の内容】
【００１２】
本発明に係るスロットマシンは、各々に、複数の図柄が表示された複数のメインリール（Ｒａ１、Ｒａ２、Ｒａ３）を備えた第１表示手段（４Ａ）と、前記複数のメインリールの各々に対応して設けられ、各々が複数の図柄を可変表示可能な複数の表示列（Ｒｂ１、Ｒｂ２、Ｒｂ３）を備えた第２表示手段（４Ｂ）と、プレイヤーの開始操作に応じて開始指示信号を出力する複数の開始操作手部（６）と、前記複数のメインリールの各々に対応して設けられ、各々がプレイヤーの停止操作に応じて停止指示信号（４４ａ、４５ａ、４６ａ）を出力する複数の停止操作部（７ａ、７ｂ、７ｃ）と、前記開始指示信号を検知して前記複数のメインリール（Ｒａ１、Ｒａ２、Ｒａ３）の全てについて回転を開始させるように前記第１表示手段を制御し、前記複数の停止指示信号（４４ａ、４５ａ、４６ａ）のいずれかを検知して前記メインリール（Ｒａ１、Ｒａ２、Ｒａ３）の回転を停止させるように前記第１表示手段（４Ａ）を制御する第１制御手段（３１）と、前記複数のメインリールの少なくとも一つが回転中に、回転中のメインリール（Ｒａ１、Ｒａ２、Ｒａ３）に対応する前記表示列（Ｒｂ１、Ｒｂ２、Ｒｂ３）を当該回転中のメインリールと同じ速度で回転させるように前記第２表示手段（４Ｂ）を制御する第１処理と、回転中の前記メインリール（Ｒａ１、Ｒａ２、Ｒａ３）に対応する前記表示列（Ｒｂ１、Ｒｂ２、Ｒｂ３）を当該回転中のメインリールと異なる速度で回転させるように前記第２表示手段（４Ｂ）を制御する第２処理とを選択的に実行する第２制御手段（５５）とを備え、前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する、ことを特徴とする。
【手続補正３】
【補正対象書類名】明細書
【補正対象項目名】００１４
【補正方法】変更
【補正の内容】
【００１４】
本発明に係る他のスロットマシンは、各々に、複数の図柄が表示された複数のメインリール（Ｒａ１、Ｒａ２、Ｒａ３）を備えた第１表示手段（４Ａ）と、前記複数のメインリールの各々に対応して設けられ、各々が複数の図柄を可変表示可能な複数の表示列（Ｒｂ１、Ｒｂ２、Ｒｂ３）を備えた第２表示手段（４Ｂ）と、プレイヤーの開始操作に応じて開始指示信号を出力する開始操作手部（６）と、前記複数のメインリールの各々に対応して設けられ、各々がプレイヤーの停止操作に応じて停止指示信号（４４ａ、４５ａ、４６ａ）を出力する複数の停止操作部（７ａ、７ｂ、７ｃ）と、前記開始指示信号を検知して前記複数のメインリール（Ｒａ１、Ｒａ２、Ｒａ３）の全てについて回転を開始させ、前記メインリール（Ｒａ１、Ｒａ２、Ｒａ３）を一定速度で回転させるように前記第１表示手段を制御し、前記複数の停止指示信号（４４ａ、４５ａ、４６ａ）のいずれかを検知して前記メインリール（Ｒａ１、Ｒａ２、Ｒａ３）の回転を停止させるように前記第１表示手段（４Ａ）を制御する第１制御手段（３１）と、前記複数のメインリールの少なくとも一つが回転中に、回転中のメインリール（Ｒａ１、Ｒａ２、Ｒａ３）に対応する前記表示列（Ｒｂ１、Ｒｂ２、Ｒｂ３）を当該回転中のメインリールと同じ速度で回転させるように前記第２表示手段（４Ｂ）を制御する第１処理と、前記表示列（Ｒｂ１、Ｒｂ２、Ｒｂ３）の回転が一定速度とならないように前記第２表示手段（４Ｂ）を制御する第２処理とを選択的に実行する第２制御手段（５５）とを備え、前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する。
【手続補正４】
【補正対象書類名】明細書
【補正対象項目名】００１６
【補正方法】変更
【補正の内容】
【００１６】
本発明に係る他のスロットマシンは、各々に、複数の図柄が表示された複数のメインリール（Ｒａ１、Ｒａ２、Ｒａ３）を備えた第１表示手段（４Ａ）と、前記複数のメインリールの各々に対応して設けられ、各々が複数の図柄を可変表示可能な複数の表示列（Ｒｂ１、Ｒｂ２、Ｒｂ３）を備えた第２表示手段（４Ｂ）と、プレイヤーの開始操作に応じて開始指示信号を出力する開始操作手部（６）と、前記複数のメインリールの各々に対応して設けられ、各々がプレイヤーの停止操作に応じて停止指示信号（４４ａ、４５ａ、４６ａ）を出力する複数の停止操作部（７ａ、７ｂ、７ｃ）と、前記開始指示信号を検知して前記複数のメインリール（Ｒａ１、Ｒａ２、Ｒａ３）の全てについて回転を開始させるように前記第１表示手段を制御し、前記複数の停止指示信号（４４ａ、４５ａ、４６ａ）のいずれかを検知して前記メインリール（Ｒａ１、Ｒａ２、Ｒａ３）の回転を停止させるように前記第１表示手段（４Ａ）を制御する第１制御手段（３１）と、前記複数のメインリールの少なくとも一つが回転中に、回転中のメインリール（Ｒａ１、Ｒａ２、Ｒａ３）に対応する前記表示列（Ｒｂ１、Ｒｂ２、Ｒｂ３）を当該回転中のメインリール（Ｒａ１、Ｒａ２、Ｒａ３）と同じ加速期間で加速回転させるように前記第２表示手段（４Ｂ）を制御する第１処理と、当該回転中のメインリール（Ｒａ１、Ｒａ２、Ｒａ３）と異なる加速期間で当該表示列（Ｒｂ１、Ｒｂ２、Ｒｂ３）を加速回転させるように前記第２表示手段（４Ｂ）を制御する第２処理とを選択的に実行する第２制御手段（５５）とを備え、前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する。
【手続補正５】
【補正対象書類名】明細書
【補正対象項目名】００１８
【補正方法】変更
【補正の内容】
【００１８】
また、本発明に係る他のスロットマシンは、各々に、複数の図柄が表示された複数のメインリール（Ｒａ１、Ｒａ２、Ｒａ３）を備えた第１表示手段（４Ａ）と、前記複数のメインリールの各々に対応して設けられ、各々が複数の図柄を可変表示可能な複数の表示列（Ｒｂ１、Ｒｂ２、Ｒｂ３）を備えた第２表示手段（４Ｂ）と、プレイヤーの開始操作に応じて開始指示信号を出力する複数の開始操作手部（６）と、前記複数のメインリールの各々に対応して設けられ、各々がプレイヤーの停止操作に応じて停止指示信号（４４ａ、４５ａ、４６ａ）を出力する複数の停止操作手部（７ａ、７ｂ、７ｃ）と、前記開始指示信号を検知して前記複数のメインリール（Ｒａ１、Ｒａ２、Ｒａ３）の全てについて回転を開始させるように前記第１表示手段を制御し、前記複数の停止指示信号（４４ａ、４５ａ、４６ａ）のいずれかを検知して前記メインリール（Ｒａ１、Ｒａ２、Ｒａ３）の回転を停止させるように前記第１表示手段（４Ａ）を制御する第１制御手段（３１）と、前記複数のメインリールの少なくとも一つが回転中に、回転中のメインリール（Ｒａ１、Ｒａ２、Ｒａ３）に対応する前記表示列（Ｒｂ１、Ｒｂ２、Ｒｂ３）を当該回転中のメインリールの回転方向と同じ方向に可変表示させるように前記第２表示手段（４Ｂ）を制御する第１処理と、当該回転中のメインリール（Ｒａ１、Ｒａ２、Ｒａ３）の回転方向と逆の方向に当該表示列（Ｒｂ１、Ｒｂ２、Ｒｂ３）を可変表示させるように前記第２表示手段（４Ｂ）を制御する第２処理とを選択的に実行する第２制御手段（５５）とを備え、前記第１制御手段は、前記開始指示信号を検知すると前記複数のメインリールの全てについて回転開始を指示する開始情報を前記第２制御手段へ出力すると共に、前記複数の停止操作信号のいずれかを検知すると対応するメインリールの停止操作を指示する停止操作情報を前記第２制御手段へ出力し、前記第２制御手段は、前記開始情報が入力されてから所定の停止操作に伴う特定の停止操作情報が入力されるまでの期間は、前記特定の停止操作情報に対応する表示列に対して所定の規則に従って選択した前記第１処理又は前記第２処理のうち一方の処理を継続して実行し、前記特定の停止操作情報の入力を契機に、前記特定の停止操作情報に対応する表示列の可変表示を停止させるように前記第２表示手段を制御すると共に、前記複数の表示列のうち前記特定の停止操作情報に対応する表示列以外の他の表示列の少なくとも一つが可変表示中である場合に前記可変表示中の少なくとも一つの表示列に対して前記期間で選択されなかった他方の処理を実行する。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】